(57)【要約】【課題】収容物を残留させることなく容易に取り出すことができる包装袋を提供する。【解決手段】包装袋１００は、重ね合わせた２枚の合成樹脂フィルム１１，１２の間に設けられた収容部１０と、２枚の合成樹脂フィルム１１，１２の上辺１、左側辺２，右側辺３及び下辺４をそれぞれ封止する上辺シール部１ｓ、左側辺シール部２ｓ，右側辺シール部３ｓ及び下辺シール部４ｓと、を有する。収容部１０内の上縁部１０ａが、上辺シール部１Ｓに向かって突出した凸曲線形状（円弧形状）をなしている。包装袋１００の上辺シール部１ｓは、その表裏面全体が、手指Ｆで挟持して収容部１０を垂下状態に保持可能な突片状の挟持部１ｇとなっている。また、左側辺シール部２ｓ及び右側辺シール部３ｓの下辺シール部４ｓ寄りの部分にそれぞれ切欠部５，６が形成されている。【選択図】図１
2018197115.tif 000002
【特許請求の範囲】
【請求項１】
重ね合わせた２枚の合成樹脂フィルムの間に設けられた収容部と、２枚の前記合成樹脂フィルムの上辺、左右の側辺及び下辺をそれぞれ封止する上辺シール部、側辺シール部及び下辺シール部と、を有する包装袋において、
前記収容部内の上縁部が、前記上辺シール部に向かって突出した凸曲線形状をなし、
前記上辺シール部の少なくとも一部に、手指で挟持して前記収容部を垂下状態に保持可能な挟持部を有し、
前記側辺シール部の前記下辺シール部寄りの部分に切欠部を有する包装袋。
【請求項２】
前記収容部若しくは前記挟持部の少なくとも一方の表面に、前記収容部内に封入された収容物の情報を、前記上辺シール部側を上方向とする文字、絵柄の少なくとも一方で表示する表示部を設けた請求項１記載の包装袋。
【請求項３】
前記収容部の表面積と前記挟持部の表面積との比が６：４〜７：３である請求項１または２記載の包装袋。
【発明の詳細な説明】
【技術分野】
【０００１】
本発明は、漬物や惣菜類などの各種食品を密封状態で収容するための包装袋に関する。
【背景技術】
【０００２】
一般に、漬物や惣菜などの各種食品は、合成樹脂フィルムで形成された包装袋内に密封した状態で陳列、販売されていることが多い。このような用途に使用される包装袋については、従来、様々な形状、機能を有するものが開発されているが、本発明に関連するものとして、例えば、特許文献１に記載された「包装袋」がある。
【０００３】
前記「包装袋」は、電子レンジで電磁加熱できる包装袋であって、特許文献１の図１，図２などに記載されているように、上辺側の一方の隅角部４における側部シール部２ｂの内縁に近い位置に、上辺シール部２ａから連続した一定範囲の部分熱溶着部５を形成し、部分熱溶着部５を横切る易開封用ミシン目１０を包装袋の表裏の左右方向全域に形成し、部分熱溶着部５内には、易開封用ミシン目１０に直交する方向のストッパ用の第１切込線６と、ストッパ用の第２切込線７を各々形成し、易開封用ミシン目１０が形成された左右の側部シール部の両外縁に各々左切欠部１１ｂ及び右切欠部１１ａが形成されている。
【先行技術文献】
【特許文献】
【０００４】
【特許文献１】実用新案登録第３２０８７１６号公報
【発明の概要】
【発明が解決しようとする課題】
【０００５】
合成樹脂フィルムで形成された包装袋に収容された漬物や惣菜などを取り出すとき、包装袋の周縁部分に設けられた切欠部に力を加えてフィルムを切り裂くことによって開封し、開封部分に形成された開口部を下に向けて内容物を落下させることが多い。
【０００６】
ところが、包装袋の収容物が漬物や惣菜などのように水分（漬汁や煮汁など）を含むものである場合、包装袋の開口部を下に向けて収容物を落下させても、その一部が包装袋内の角隅部分に付着して残留するという問題がある。
【０００７】
そこで、本発明が解決しようとする課題は、収容物を残留させることなく容易に取り出すことができる包装袋を提供することにある。
【課題を解決するための手段】
【０００８】
本発明に係る包装袋は、重ね合わせた２枚の合成樹脂フィルムの間に設けられた収容部と、２枚の前記合成樹脂フィルムの上辺、左右の側辺及び下辺をそれぞれ封止する上辺シール部、側辺シール部及び下辺シール部と、を有する包装袋において、
前記収容部内の上縁部が、前記上辺シール部に向かって突出した凸曲線形状をなし、
前記上辺シール部の少なくとも一部に、手指で挟持して前記収容部を垂下状態に保持可能な挟持部を有し、
前記側辺シール部の前記下辺シール部寄りの部分に切欠部を有することを特徴とする。
【０００９】
ここで、前記包装袋においては、前記収容部若しくは前記挟持部の少なくとも一方の表面に、前記収容部内に封入された収容物の情報を、前記上辺シール部側を上方向とする文字、絵柄の少なくとも一方で表示する表示部を設けることができる。
【００１０】
また、前記包装袋においては、前記収容部の表面積と前記挟持部の表面積との比を６：４〜７：３とすることができる。
【発明の効果】
【００１１】
本発明により、収容物を残留させることなく容易に取り出すことができる包装袋を提供することができる。
【図面の簡単な説明】
【００１２】
【図１】本発明の実施形態である包装袋を示す一部省略正面図である。
【図２】図１中のＡ−Ａ線における一部省略断面図である。
【図３】図１中のＢ−Ｂ線における一部省略断面図である。
【図４】図１に示す包装袋から内容物を取り出す状態を示す図である。
【発明を実施するための形態】
【００１３】
以下、図１〜図４に基づいて本発明の実施形態である包装袋１００について説明する。図１〜図３に示すように、本実施形態に係る包装袋１００は、重ね合わせた２枚の合成樹脂フィルム１１，１２の間に設けられた収容部１０と、２枚の合成樹脂フィルム１１，１２の上辺１、左側辺２，右側辺３及び下辺４をそれぞれ封止する上辺シール部１ｓ、左側辺シール部２ｓ，右側辺シール部３ｓ及び下辺シール部４ｓと、を有する。
【００１４】
図２，図３に示すように、上辺１、左側辺２，右側辺３及び下辺４は、それぞれ２枚の合成樹脂フィルム１１，１２が気密状に溶着されて１枚化した状態になっており、いずれの辺縁部にも、いわゆる「マチ」は設けられていない。
【００１５】
収容部１０内の上縁部１０ａが、上辺シール部１Ｓに向かって突出した凸曲線形状（円弧形状）をなしている。後述する図４に示すように、包装袋１００の上辺シール部１ｓは、その表裏面全体が、手指Ｆで挟持して収容部１０を垂下状態に保持可能な突片状の挟持部１ｇとなっている。また、左側辺シール部２ｓ及び右側辺シール部３ｓの下辺シール部４ｓ寄りの部分にそれぞれ切欠部５，６が形成されている。
【００１６】
図２，図３に示すように、包装袋１００の収容部１０内には葉物野菜の一種である高菜の漬物２０（例えば、ごまたかな）が漬汁を伴った状態で封入されているが、収容物は限定されない。
【００１７】
包装袋１００においては、収容部１０の表面及び挟持部１ｇの表面に、収容部１０内に封入された収容物（漬物２０）の情報（例えば、漬物の名称「ごまたかな」など）を、挟持部１ｇ（上辺シール部１ｓ）側を上方向とする文字Ｘ、絵柄Ｙで表示する表示部１５，１６を設けている。また、包装袋１００においては、収容部１０の表面積と挟持部１ｇの表面積との比を約７：３としているが、これに限定するものではないので、使用条件に応じて、６：４〜７：３程度の範囲内で変更可能である。
【００１８】
図１に示すように、包装袋１００は、収容部１０の表面の表示部１６だけでなく、挟持部１ｇの表面の表示部１５を備えており、これらの表示部１５，１６には、挟持部１ｇ（上辺シール部１ｓ）側を上方向とする文字Ｘ、絵柄Ｙで収容物（漬物２０）の情報が表示されている。このため、スーパーや土産物屋などの店舗内において、挟持部１ｇ（上辺シール部１ｓ）を上にして（下辺シール部４ｓを下にして）、包装袋１００を陳列すれば、買い物客は、比較的広い面積の表示部１５，１６を見るだけで、包装袋１００の内容物を容易に視認することができる。また、店舗内において包装袋１００を吊り下げ状態で陳列するためのバー材を挿入可能な単数若しくは複数の貫通孔（図示せず）を挟持部１ｇに設けることもできる。
【００１９】
包装袋１００に封入された収容物（漬物２０）を取り出すときは、切欠部５，６の一方に力を加えて合成樹脂フィルム１１，１２を切り裂いて開口部１７（図４参照）を形成する。この後、図４に示すように、挟持部１ｇを手指Ｆで挟んで開口部１７を下に向けて収容部１０を垂下状態に保持すると、収容部１０の漬物２０は自然に落下するので、下方に用意した皿３０などに取り出すことができる。挟持部１ｇは手指Ｆで挟むのに十分な面積を有しているので、包装袋１００を安定保持することができる。
【００２０】
図４に示すように、包装袋１００においては、収容部１０内の上縁部１０ａが、上辺シール部１ｓに向かって突出した凸曲線形状（円弧形状）をなしているので、収容部１０内に狭い角隅部が存在せず、開口部１７を下に向けて収容部１０を垂下状態にすれば、収容物（漬物２０）を残留させることなく容易に取り出すことができる。また、収容部１０内の液体成分は、上縁部１０ａの円弧形状に沿って左側辺シール部２ｓ若しくは右側辺シール部３ｓに向かって流下し、左側辺シール部２ｓ若しくは右側辺シール部３ｓを伝わって流下していき、最終的に開口部１７からスムーズに排出される。このような効果は、収容物が葉物野菜の漬物２０であるような場合に顕著である。
【００２１】
さらに、包装袋１００は、挟持部１ｇ（上辺シール部１ｓ）を上にして（下辺シール部４ｓを下にして）陳列されているため、収容部１０内の収容物に含まれる比重の大きい成分が陳列中に下辺シール部４ｓ寄りに沈殿しているような場合でも、開口部１７から残さず取り出すことができる。
【００２２】
なお、図１〜図４に基づいて説明した包装袋１００は、収容部１０内に漬物２０を密封しているが、収容物はこれに限定されないので、その他の物品を収容することができ、前述と同様の作用効果を得ることができる。また、図１〜図４に基づいて説明した包装袋１００は、本発明に係る包装袋の一例を示すものであり、本発明に係る包装袋は前述した包装袋１００に限定されない。
【産業上の利用可能性】
【００２３】
本発明に係る包装袋は、漬物や惣菜類などを密封状態で収容するための包装手段として、食品製造業などの産業分野において広く利用することができる。
【符号の説明】
【００２４】
１  上辺
１ｓ  上辺シール部
１ｇ  挟持部
２  左側辺
２ｓ  左側辺シール部
３  右側辺
３ｓ  右側辺シール部
４  下辺
４ｓ  下辺シール部
５，６  切欠部
１０  収容部
１０ａ  上縁部
１１，１２  合成樹脂フィルム
１５，１６  表示部
１７  開口部
２０  漬物
３０  皿
Ｆ  手指
Ｘ  文字
Ｙ  絵柄
【図１】
2018197115.tif 000003
【図２】
2018197115.tif 000004
【図３】
2018197115.tif 000005
【図４】
2018197115.tif 000006